(57)【特許請求の範囲】
【請求項１】
開口部を有する金庫本体と、
該金庫本体の前記開口部を開閉する開閉部材と、
前記金庫本体に回転可能に設けられるとともに、前記開口部を閉じた状態にある前記開閉部材をロックするロックアーム部材と、
該ロックアーム部材を前記開閉部材をロックするロック位置に位置するよう付勢する付勢手段と、
該ロックアーム部材を前記付勢手段の付勢力に抗して回転させることにより前記開閉部材へのロックを解除させるロック解除手段と、
を有する貨幣収納金庫において、
前記ロックアーム部材には、その自重により生じる前記付勢手段の付勢力に抗する方向のモーメントを相殺するモーメント相殺手段が設けられていることを特徴とする貨幣収納金庫。
【請求項２】
前記モーメント相殺手段は、前記ロックアーム部材の重心位置を、該ロックアーム部材の回転中心に一致させることを特徴とする請求項１記載の貨幣収納金庫。
【発明の詳細な説明】
【０００１】
【発明の属する技術分野】
本発明は、貨幣を収納して運搬可能な貨幣収納金庫に関する。
【０００２】
【従来の技術】
貨幣を収納して運搬可能な貨幣収納金庫に関するものとして、例えば実開昭５４−１４７２９２号公報に開示されたものがある。
この種の貨幣収納金庫には、開口部を有する金庫本体と、該金庫本体の開口部を開閉する開閉部材と、金庫本体に回転可能に支持されるとともに、開口部を閉じた状態にある開閉部材をロックするロックアーム部材と、該ロックアーム部材を開閉部材をロックするロック位置に位置するよう付勢する付勢手段と、該ロックアーム部材を付勢手段の付勢力に抗して回転させることにより開閉部材へのロックを解除させるロック解除手段とを有するものがある。
【０００３】
【発明が解決しようとする課題】
上記貨幣収納金庫は、金庫本体の開口部を閉じた状態にある開閉部材を、ロックアーム部材が付勢手段で付勢されることでロック状態に維持するようになっているが、この貨幣収納金庫を床などに落下させてしまったときのような急激な上下方向の衝撃が加わると、該衝撃の大きさによってはロックアーム部材に生じる回転力が付勢手段の付勢力を上回って、該ロックアーム部材の開閉手段へのロックが外れてしまう可能性があった。
また、このようなロックアーム部材に生じる回転力に抗するように付勢手段の付勢力を増大させることを考えたが、このようにすると、ロック解除手段によるロック解除時におけるロックアーム部材の回転が困難になってしまうという問題を生じる可能性がある。
【０００４】
したがって、本発明の目的は、ロック解除手段によるロック解除を困難にすることなく、上下方向の衝撃により生じるロック外れを防止することができる貨幣収納金庫を提供することである。
【０００５】
【課題を解決するための手段】
上記目的を達成するため、本発明の請求項１記載の貨幣収納金庫は、開口部を有する金庫本体と、該金庫本体の前記開口部を開閉する開閉部材と、前記金庫本体に回転可能に設けられるとともに、前記開口部を閉じた状態にある前記開閉部材をロックするロックアーム部材と、該ロックアーム部材を前記開閉部材をロックするロック位置に位置するよう付勢する付勢手段と、該ロックアーム部材を前記付勢手段の付勢力に抗して回転させることにより前記開閉部材へのロックを解除させるロック解除手段と、を有するものであって、前記ロックアーム部材には、その自重により生じる前記付勢手段の付勢力に抗する方向のモーメントを相殺するモーメント相殺手段が設けられていることを特徴としている。
このように、ロックアーム部材には、その自重により生じる付勢手段の付勢力に抗する方向のモーメントを相殺するモーメント相殺手段が設けられているため、金庫本体に上下方向に衝撃が加わっても該ロックアーム部材には付勢手段の付勢力に抗する方向に回転力を生じることがなく、よって、該ロックアーム部材の開閉手段へのロックが外れてしまうことがない。しかも、付勢手段の付勢力を増大させる必要がないため、ロック解除手段によるロック解除時におけるロックアーム部材の回転が困難になってしまうこともない。
【０００６】
本発明の請求項２記載の貨幣収納金庫は、請求項１記載のものに関して、前記モーメント相殺手段は、前記ロックアーム部材の重心位置を、該ロックアーム部材の回転中心に一致させることを特徴としている。
このように、モーメント相殺手段は、ロックアーム部材の重心位置を、その回転中心に一致させるため、如何なる方向から衝撃が加わっても、ロックアーム部材に付勢手段の付勢力に抗する方向の回転力が生じることはなく、該ロックアーム部材の開閉手段へのロックが外れてしまうことがなくなる。
【０００７】
【発明の実施の形態】
本発明の一の実施の形態を図１〜図３を参照して以下に説明する。
本実施の形態の貨幣収納金庫１０は、略中空直方体形状をなすとともに上部に内部を外部に開放させる開口部１１が形成された金庫本体１２と、該金庫本体１２の上部に設けられて該金庫本体１２を運搬する際に運搬者により把持される取手１３と、金庫本体１２の上部に前後方向にスライド可能に支持されるとともに、前方に移動すると開口部１１を開放させ、後方に移動すると開口部１１を閉塞させる（すなわち金庫本体１２の開口部１１を開閉する）板状の蓋部材（開閉部材）１４と、該蓋部材１４を開口部１１を閉塞させる閉状態でロックさせるとともにこのロックを解除可能なロック機構１５とを有している。
【０００８】
ロック機構１５は、蓋部材１４の下面の前部に下方に突出するよう固定された爪部１７と、金庫本体１２の前面の内側に位置固定で取り付けられた回転軸１８と、金庫本体１２に回転軸１８を介して支持されることにより、該回転軸１８の中心を回転中心として回転自在とされたロックアーム部材１９と、金庫本体１２の前面の内側において、ロックアーム部材１９の下部と金庫本体１２との間に介装されたコイルバネ（付勢手段）２０と、金庫本体１２の前面に設けられた鍵部（ロック解除手段）２１とを有している。
爪部１７は、前部が鉛直に延在するとともに後部には後方に位置するほど上側となるよう傾斜する傾斜面２３が形成されている。
【０００９】
回転軸１８は、正面側から見て中央より右側位置に取り付けられており、ロックアーム部材１９は、この回転軸１８から下方に延出する第１延出部２５と、正面側から見て回転軸１８から左方に延出する第２延出部２６と、第２延出部２６の上部に、爪部１７の前側に位置するよう固定されたフック部２７と、正面側から見て第１延出部２５の左側に形成された当接部２８とを有している。
【００１０】
正面側から見て当接部２８の左側に鍵部２１が設けられている。鍵部２１は、金庫本体１２から前面側に露出する鍵穴３０を有する鍵本体部３１と、該鍵本体部３１の鍵穴３０に所定の鍵（図示略）が挿入された状態でのみ該鍵と一体の回転が許容されるとともに回転中心と外周部の円の中心とがずれている偏心円盤３２とを有しており、該偏心円盤３２の外周部に、当接部２８が当接可能とされている。
【００１１】
ここで、鍵部２１は、例えば偏心円盤３２がその外周部の円の中心を回転中心に対し鉛直上方に配置した状態（図３に示す状態）でのみ鍵の抜き差しが可能とされており、この状態で鍵が差し込まれると、鍵および偏心円盤３２の正面側から見た時計回り方向の約９０度までの回転が可能とされ、この回転により偏心円盤３２は、その外周部の円の中心を回転中心に対し水平右方に配置した状態となる。
【００１２】
コイルバネ２０は、ロックアーム部材１９の第１延出部２５の下端部と、正面側から見て金庫本体１２のロックアーム部材１９の左側に配置された固定軸３４との間に介装される引張バネで、ロックアーム部材１９を偏心円盤３２に当接させる方向に付勢する。
【００１３】
そして、本実施の形態において、ロックアーム部材１９には、その一部を構成するとともに回転軸１８を中心として第２延出部２６に対し反対側に配置されるバランスウエイト（モーメント相殺手段）３５が設けられている。
このバランスウエイト３５は、金庫本体１２を取手１３が上部となるように通常の姿勢（運搬時の姿勢）とした状態で、しかも、偏心円盤３２が回転中心に対しその外周部の円の中心を鉛直上側に配置した状態（後述するロック状態）で、ロックアーム部材１９の自重により生じるコイルバネ２０の付勢力に抗する方向である正面側から見た反時計回り方向のモーメントＭを相殺すなわち打ち消すように、コイルバネ２０の付勢力の作用する方向である正面側から見た時計回り方向のモーメントＮを、Ｍ≦Ｎの関係とする。言い換えれば、バランスウエイト３５を含むロックアーム部材１９全体の重心位置が、回転軸１８の中心を通って鉛直に沿う直線上、または該直線よりバランスウエイト３５側に配置させられている。
【００１４】
以上のような構成の本実施の形態では、蓋部材１４が開口部１１を閉塞した状態で、鍵部２１が鍵穴３０に鍵を抜き差し可能なロック状態とされていると、偏心円盤３２が回転中心に対しその外周部の円の中心を鉛直上側に配置した状態とされており、コイルバネ２０の付勢力でこの偏心円盤３２の外周部に当接しているロックアーム部材１９は、フック部２７を爪部１７の移動範囲における爪部１７の直前位置に配置している。この状態においては、フック部２７が爪部１７の前方への一切の移動を規制しており、蓋部材１４は開口部１１を開放させることができない。すなわち、この状態で、ロックアーム部材１９は、開口部１１を閉じた状態にある蓋部材１４をロックしており、またコイルバネ２０は、このロックアーム部材１９を蓋部材１４をロックするロック位置に位置するよう付勢している。
【００１５】
この状態で、鍵部２１の鍵穴３０に所定の鍵を挿入させ、該鍵を正面側から見て時計回り方向に、可能な９０度分回転させると、偏心円盤３２がその外周部の円の中心を正面側から見て右方に位置させるよう回転する。すると、該偏心円盤３２に当接するロックアーム部材１９の当接部２８が右方に押圧され、その結果、ロックアーム部材１９がコイルバネ２０の付勢力に抗して回転軸１８を中心に正面側から見て反時計回りに所定角度回転し、フック部２７が爪部１７の移動範囲から逃げることになり、蓋部材１４の前方への移動が許容され、すなわちロックが解除されることになる。そして、この状態で作業者は蓋部材１４を前方に引き出し、金庫本体１２の開口部１１を開放させ、内部の貨幣の出し入れを行う。ここで、蓋部材１４は、図示は略すが、前方の移動限界位置まで引き出された状態で、前部を下方に位置させる方向に約９０度折り畳め、また、前部を上方に位置させる方向に約１２０度折り畳めるようになっている。
【００１６】
この状態から蓋部材１４を水平に戻し、後方の移動限界位置まで移動させると、蓋部材１４の爪部１７がロックアーム部材１９のフック部２７の後側に位置し、この状態で、鍵部２１を正面側から見て反時計回り方向に、可能である９０度分回転させると、偏心円盤３２がその外周部の円の中心を正面側から見て上方に位置させるよう回転する。すると、該偏心円盤３２に当接するロックアーム部材１９の当接部２８がコイルバネ２０の付勢力で左方に戻され、その結果、ロックアーム部材１９が回転軸１８を中心に正面側から見て時計回りに所定角度回転し、フック部２７が爪部１７の移動範囲における直前位置に位置することになり、蓋部材１４の前方への移動が規制されるロック状態になる。
【００１７】
なお、蓋部材１４を後方の移動限界位置まで移動させる前に、鍵を正面側から見て反時計回り方向に可能である９０度分回転させておくと、上記と同様にしてロックアーム部材１９のフック部２７が爪部１７の移動範囲に位置することになり、この状態から、蓋部材１４を後方の移動限界位置まで移動させると、この移動中に爪部１７がフック部２７に傾斜面２３で当接し、該傾斜面２３でフック部２７を下方に移動させるように、ロックアーム部材１９をコイルバネ２０の付勢力に抗して移動させる。そして、爪部１７がフック部２７を乗り越えて後方に位置すると、ロックアーム部材１９はコイルバネ２０の付勢力でフック部２７を爪部１７の移動範囲における直前位置に位置させることになり、蓋部材１４の前方への移動が規制されるロック状態になる。
【００１８】
そして、本実施の形態においては、バランスウエイト３５にて生じるモーメントＭにより、ロックアーム部材１９の自重により生じるモーメントＮを相殺することになるため、床などに落下させてしまったこと等により金庫本体１２に上下方向に衝撃が加わってもロックアーム部材１９にはコイルバネ２０の付勢力に抗する方向に回転力を生じることがなく、よって、該ロックアーム部材１９の蓋部材１４へのロックが外れてしまうことがなくなる。しかも、コイルバネ２０の付勢力を増大させる必要がないため、鍵部２１によるロック解除時におけるロックアーム部材１９の回転が困難になってしまうこともない。
したがって、鍵部２１によるロック解除を困難にすることなく、上下方向の衝撃により生じるロック外れを確実に防止することができる。
【００１９】
なお、バランスウエイト３５で、バランスウエイト３５を含むロックアーム部材１９全体の重心位置を該ロックアーム部材１９の回転中心に一致させれば、如何なる方向から衝撃が加わっても、ロックアーム部材１９にコイルバネ２０の付勢力に抗する方向の回転力が生じることはなく、ロックアーム部材１９の蓋部材１４へのロックが外れてしまうことを防止できる。したがって、このように構成すれば、すべての方向からの衝撃により生じるロック外れを確実に防止することができる。
【００２０】
【発明の効果】
以上詳述したように、本発明の請求項１記載の貨幣収納金庫によれば、ロックアーム部材には、その自重により生じる付勢手段の付勢力に抗する方向のモーメントを相殺するモーメント相殺手段が設けられているため、金庫本体に上下方向に衝撃が加わっても付勢手段の付勢力に抗する方向の回転力を生じることがなく、よって、該ロックアーム部材の開閉手段へのロックが外れてしまうことがなくなる。しかも、付勢手段の付勢力を増大させる必要がないため、ロック解除手段によるロック解除時におけるロックアーム部材の回転が困難になってしまうこともない。
したがって、ロック解除手段によるロック解除を困難にすることなく、上下方向の衝撃により生じるロック外れを防止することができる。
【００２１】
本発明の請求項２記載の貨幣収納金庫によれば、モーメント相殺手段が、ロックアーム部材の重心位置をその回転中心に一致させるため、如何なる方向から衝撃が加わっても、ロックアーム部材に付勢手段の付勢力に抗する方向の回転力が生じることはなく、よって、該ロックアーム部材の開閉手段へのロックが外れてしまうことを防止できる。
したがって、すべての方向からの衝撃により生じるロック外れを確実に防止することができる。
【図面の簡単な説明】
【図１】  本発明の貨幣収納金庫の一の実施の形態を示す正面図である。
【図２】  本発明の貨幣収納金庫の一の実施の形態を示す側面図である。
【図３】  本発明の貨幣収納金庫の一の実施の形態を示す図２におけるＡ−Ａ線に沿う断面矢面図である。
【符号の説明】
１０  貨幣収納金庫
１１  開口部
１２  金庫本体
１４  蓋部材（開閉部材）
１９  ロックアーム部材
２０  コイルバネ（付勢手段）
２１  鍵部（ロック解除手段）
３５  バランスウエイト（モーメント相殺手段）
【図１】
0003652524.tif 000002
【図２】
0003652524.tif 000003
【図３】
0003652524.tif 000004